【手続補正書】
【提出日】平成18年1月20日(2006.1.20)
【手続補正１】
【補正対象書類名】特許請求の範囲
【補正対象項目名】全文
【補正方法】変更
【補正の内容】
【特許請求の範囲】
【請求項１】
血液障害を処置し得る候補化合物を同定するための方法であって、以下：
ｉ）以下：
ａ）配列番号１８、配列番号２、配列番号４、配列番号６、配列番号８、配列番号１０、配列番号１２、配列番号１４、配列番号１６、配列番号２０、配列番号２２、配列番号２４、配列番号２６、配列番号２８、配列番号３０、配列番号３２、配列番号３４、配列番号３６、配列番号３８、配列番号４０、配列番号４２、配列番号４４、配列番号４６、配列番号４８、配列番号５０、配列番号５２、配列番号５４、配列番号５６、配列番号５８または配列番号６０のアミノ酸配列と少なくとも９５％同一なアミノ酸配列を含むポリペプチドであって、ここで、該ポリペプチドはロイコトリエンレセプター活性を有する、ポリペプチド；
ｂ）配列番号１７、配列番号１、配列番号３、配列番号５、配列番号７、配列番号９、配列番号１１、配列番号１３、配列番号１５、配列番号１９、配列番号２１、配列番号２３、配列番号２５、配列番号２７、配列番号２９、配列番号３１、配列番号３３、配列番号３５、配列番号３７、配列番号３９、配列番号４１、配列番号４３、配列番号４５、配列番号４７、配列番号４９、配列番号５１、配列番号５３、配列番号５５、配列番号５７、配列番号５９または配列番号６１のヌクレオチド配列を含む核酸と少なくとも９５％同一なヌクレオチド配列を含む核酸分子によりコードされるポリペプチドであって、ここで、該ポリペプチドはロイコトリエンレセプター活性を有する、ポリペプチド；
ｃ）配列番号１８、配列番号２、配列番号４、配列番号６、配列番号８、配列番号１０、配列番号１２、配列番号１４、配列番号１６、配列番号２０、配列番号２２、配列番号２４、配列番号２６、配列番号２８、配列番号３０、配列番号３２、配列番号３４、配列番号３６、配列番号３８、配列番号４０、配列番号４２、配列番号４４、配列番号４６、配列番号４８、配列番号５０、配列番号５２、配列番号５４、配列番号５６、配列番号５８または配列番号６０のアミノ酸配列を含むポリペプチド；および
ｄ）配列番号１７、配列番号１、配列番号３、配列番号５、配列番号７、配列番号９、配列番号１１、配列番号１３、配列番号１５、配列番号１９、配列番号２１、配列番号２３、配列番号２５、配列番号２７、配列番号２９、配列番号３１、配列番号３３、配列番号３５、配列番号３７、配列番号３９、配列番号４１、配列番号４３、配列番号４５、配列番号４７、配列番号４９、配列番号５１、配列番号５３、配列番号５５、配列番号５７、配列番号５９または配列番号６１に示されるヌクレオチド配列によりコードされるポリペプチド
からなる群より選択されるポリペプチドを発現するサンプルと試験化合物とを、該化合物の該ポリペプチドへの結合に適切な条件下で合わせる工程；ならびに
ｉｉ）該試験化合物の該ポリペプチドへの結合を検出して、それによって、該ポリペプチドに結合する化合物を同定する工程
を包含し、それによって、血液障害を処置し得る化合物を同定する、方法。
【請求項２】
血液障害を処置し得る候補化合物を同定するための方法であって、以下：
ｉ）以下：
ａ）配列番号１８、配列番号２、配列番号４、配列番号６、配列番号８、配列番号１０、配列番号１２、配列番号１４、配列番号１６、配列番号２０、配列番号２２、配列番号２４、配列番号２６、配列番号２８、配列番号３０、配列番号３２、配列番号３４、配列番号３６、配列番号３８、配列番号４０、配列番号４２、配列番号４４、配列番号４６、配列番号４８、配列番号５０、配列番号５２、配列番号５４、配列番号５６、配列番号５８または配列番号６０のアミノ酸配列と少なくとも９５％同一なアミノ酸配列を含むポリペプチドであって、ここで、該ポリペプチドはロイコトリエンレセプター活性を有する、ポリペプチド；
ｂ）配列番号１７、配列番号１、配列番号３、配列番号５、配列番号７、配列番号９、配列番号１１、配列番号１３、配列番号１５、配列番号１９、配列番号２１、配列番号２３、配列番号２５、配列番号２７、配列番号２９、配列番号３１、配列番号３３、配列番号３５、配列番号３７、配列番号３９、配列番号４１、配列番号４３、配列番号４５、配列番号４７、配列番号４９、配列番号５１、配列番号５３、配列番号５５、配列番号５７、配列番号５９または配列番号６１のヌクレオチド配列を含む核酸と少なくとも９５％同一なヌクレオチド配列を含む核酸分子によりコードされるポリペプチドであって、ここで、該ポリペプチドはロイコトリエンレセプター活性を有する、ポリペプチド；
ｃ）配列番号１８、配列番号２、配列番号４、配列番号６、配列番号８、配列番号１０、配列番号１２、配列番号１４、配列番号１６、配列番号２０、配列番号２２、配列番号２４、配列番号２６、配列番号２８、配列番号３０、配列番号３２、配列番号３４、配列番号３６、配列番号３８、配列番号４０、配列番号４２、配列番号４４、配列番号４６、配列番号４８、配列番号５０、配列番号５２、配列番号５４、配列番号５６、配列番号５８または配列番号６０のアミノ酸配列を含むポリペプチド；および
ｄ）配列番号１７、配列番号１、配列番号３、配列番号５、配列番号７、配列番号９、配列番号１１、配列番号１３、配列番号１５、配列番号１９、配列番号２１、配列番号２３、配列番号２５、配列番号２７、配列番号２９、配列番号３１、配列番号３３、配列番号３５、配列番号３７、配列番号３９、配列番号４１、配列番号４３、配列番号４５、配列番号４７、配列番号４９、配列番号５１、配列番号５３、配列番号５５、配列番号５７、配列番号５９または配列番号６１に示されるヌクレオチド配列によりコードされるポリペプチド
からなる群より選択されるポリペプチドを発現するサンプルと試験化合物とを、該試験化合物が該ポリペプチドの活性を調節するのに適切な条件下で合わせる工程；ならびに
ｉｉ）該試験化合物が、該ポリペプチドの該活性を調節する能力をアッセイする工程
を包含し、それによって、血液障害を処置し得る化合物を同定する、方法。
【請求項３】
血液障害を処置し得る化合物を同定するための方法であって、以下：
ｉ）以下：
ａ）配列番号１７、配列番号１、配列番号３、配列番号５、配列番号７、配列番号９、配列番号１１、配列番号１３、配列番号１５、配列番号１９、配列番号２１、配列番号２３、配列番号２５、配列番号２７、配列番号２９、配列番号３１、配列番号３３、配列番号３５、配列番号３７、配列番号３９、配列番号４１、配列番号４３、配列番号４５、配列番号４７、配列番号４９、配列番号５１、配列番号５３、配列番号５５、配列番号５７、配列番号５９または配列番号６１のヌクレオチド配列と少なくとも９５％同一なヌクレオチド配列を含む核酸分子；
ｂ）配列番号１７、配列番号１、配列番号３、配列番号５、配列番号７、配列番号９、配列番号１１、配列番号１３、配列番号１５、配列番号１９、配列番号２１、配列番号２３、配列番号２５、配列番号２７、配列番号２９、配列番号３１、配列番号３３、配列番号３５、配列番号３７、配列番号３９、配列番号４１、配列番号４３、配列番号４５、配列番号４７、配列番号４９、配列番号５１、配列番号５３、配列番号５５、配列番号５７、配列番号５９または配列番号６１のヌクレオチド配列を含む核酸分子；
ｃ）配列番号１８、配列番号２、配列番号４、配列番号６、配列番号８、配列番号１０、配列番号１２、配列番号１４、配列番号１６、配列番号２０、配列番号２２、配列番号２４、配列番号２６、配列番号２８、配列番号３０、配列番号３２、配列番号３４、配列番号３６、配列番号３８、配列番号４０、配列番号４２、配列番号４４、配列番号４６、配列番号４８、配列番号５０、配列番号５２、配列番号５４、配列番号５６、配列番号５８または配列番号６０のアミノ酸配列と少なくとも９５％同一なアミノ酸配列を含むポリペプチドをコードする核酸分子であって、ここで、該ポリペプチドはロイコトリエンレセプター活性を有する、核酸分子；および
ｄ）配列番号１８、配列番号２、配列番号４、配列番号６、配列番号８、配列番号１０、配列番号１２、配列番号１４、配列番号１６、配列番号２０、配列番号２２、配列番号２４、配列番号２６、配列番号２８、配列番号３０、配列番号３２、配列番号３４、配列番号３６、配列番号３８、配列番号４０、配列番号４２、配列番号４４、配列番号４６、配列番号４８、配列番号５０、配列番号５２、配列番号５４、配列番号５６、配列番号５８または配列番号６０のアミノ酸配列をコードする核酸分子
からなる群より選択される核酸分子を発現するサンプルと試験化合物とを合わせる工程；ならびに
ｉｉ）該試験化合物が、該核酸分子の該発現を調節する能力をアッセイする工程
を包含し、それによって血液障害を処置し得る化合物を同定する、方法。
【請求項４】
造血を調節し得る候補化合物を同定するための方法であって、以下：
ｉ）以下：
ａ）配列番号１８、配列番号２、配列番号４、配列番号６、配列番号８、配列番号１０、配列番号１２、配列番号１４、配列番号１６、配列番号２０、配列番号２２、配列番号２４、配列番号２６、配列番号２８、配列番号３０、配列番号３２、配列番号３４、配列番号３６、配列番号３８、配列番号４０、配列番号４２、配列番号４４、配列番号４６、配列番号４８、配列番号５０、配列番号５２、配列番号５４、配列番号５６、配列番号５８または配列番号６０のアミノ酸配列と少なくとも９５％同一なアミノ酸配列を含むポリペプチドであって、ここで、該ポリペプチドはロイコトリエンレセプター活性を有する、ポリペプチド；
ｂ）配列番号１７、配列番号１、配列番号３、配列番号５、配列番号７、配列番号９、配列番号１１、配列番号１３、配列番号１５、配列番号１９、配列番号２１、配列番号２３、配列番号２５、配列番号２７、配列番号２９、配列番号３１、配列番号３３、配列番号３５、配列番号３７、配列番号３９、配列番号４１、配列番号４３、配列番号４５、配列番号４７、配列番号４９、配列番号５１、配列番号５３、配列番号５５、配列番号５７、配列番号５９または配列番号６１のヌクレオチド配列を含む核酸と少なくとも９５％同一なヌクレオチド配列を含む核酸分子によりコードされるポリペプチドであって、ここで、該ポリペプチドはロイコトリエンレセプター活性を有する、ポリペプチド；
ｃ）配列番号１８、配列番号２、配列番号４、配列番号６、配列番号８、配列番号１０、配列番号１２、配列番号１４、配列番号１６、配列番号２０、配列番号２２、配列番号２４、配列番号２６、配列番号２８、配列番号３０、配列番号３２、配列番号３４、配列番号３６、配列番号３８、配列番号４０、配列番号４２、配列番号４４、配列番号４６、配列番号４８、配列番号５０、配列番号５２、配列番号５４、配列番号５６、配列番号５８または配列番号６０のアミノ酸配列を含むポリペプチド；および
ｄ）配列番号１７、配列番号１、配列番号３、配列番号５、配列番号７、配列番号９、配列番号１１、配列番号１３、配列番号１５、配列番号１９、配列番号２１、配列番号２３、配列番号２５、配列番号２７、配列番号２９、配列番号３１、配列番号３３、配列番号３５、配列番号３７、配列番号３９、配列番号４１、配列番号４３、配列番号４５、配列番号４７、配列番号４９、配列番号５１、配列番号５３、配列番号５５、配列番号５７、配列番号５９または配列番号６１に示されるヌクレオチド配列によりコードされるポリペプチド
からなる群より選択されるポリペプチドを発現する前駆細胞と試験化合物とを、該化合物の該ポリペプチドへの結合に適切な条件下で合わせる工程；
ｉｉ）該試験化合物の該ポリペプチドに対する結合を検出し、それによって、該ポリペプチドに結合する化合物を同定する工程；ならびに
ｉｉｉ）該前駆細胞が増殖しているかどうかを決定する工程
を包含し、それによって、造血を調節し得る化合物を同定する、方法。
【請求項５】
造血を調節し得る候補化合物を同定するための方法であって、以下：
ｉ）以下：
ａ）配列番号１８、配列番号２、配列番号４、配列番号６、配列番号８、配列番号１０、配列番号１２、配列番号１４、配列番号１６、配列番号２０、配列番号２２、配列番号２４、配列番号２６、配列番号２８、配列番号３０、配列番号３２、配列番号３４、配列番号３６、配列番号３８、配列番号４０、配列番号４２、配列番号４４、配列番号４６、配列番号４８、配列番号５０、配列番号５２、配列番号５４、配列番号５６、配列番号５８または配列番号６０のアミノ酸配列と少なくとも９５％同一なアミノ酸配列を含むポリペプチドであって、ここで、該ポリペプチドはロイコトリエンレセプター活性を有する、ポリペプチド；
ｂ）配列番号１７、配列番号１、配列番号３、配列番号５、配列番号７、配列番号９、配列番号１１、配列番号１３、配列番号１５、配列番号１９、配列番号２１、配列番号２３、配列番号２５、配列番号２７、配列番号２９、配列番号３１、配列番号３３、配列番号３５、配列番号３７、配列番号３９、配列番号４１、配列番号４３、配列番号４５、配列番号４７、配列番号４９、配列番号５１、配列番号５３、配列番号５５、配列番号５７、配列番号５９または配列番号６１のヌクレオチド配列を含む核酸と少なくとも９５％同一なヌクレオチド配列を含む核酸分子によりコードされるポリペプチドであって、ここで、該ポリペプチドはロイコトリエンレセプター活性を有する、ポリペプチド；
ｃ）配列番号１８、配列番号２、配列番号４、配列番号６、配列番号８、配列番号１０、配列番号１２、配列番号１４、配列番号１６、配列番号２０、配列番号２２、配列番号２４、配列番号２６、配列番号２８、配列番号３０、配列番号３２、配列番号３４、配列番号３６、配列番号３８、配列番号４０、配列番号４２、配列番号４４、配列番号４６、配列番号４８、配列番号５０、配列番号５２、配列番号５４、配列番号５６、配列番号５８または配列番号６０のアミノ酸配列を含むポリペプチド；および
ｄ）配列番号１７、配列番号１、配列番号３、配列番号５、配列番号７、配列番号９、配列番号１１、配列番号１３、配列番号１５、配列番号１９、配列番号２１、配列番号２３、配列番号２５、配列番号２７、配列番号２９、配列番号３１、配列番号３３、配列番号３５、配列番号３７、配列番号３９、配列番号４１、配列番号４３、配列番号４５、配列番号４７、配列番号４９、配列番号５１、配列番号５３、配列番号５５、配列番号５７、配列番号５９または配列番号６１に示されるヌクレオチド配列によりコードされるポリペプチド
からなる群より選択されるポリペプチドを発現する前駆細胞と試験化合物とを、該試験化合物が該ポリペプチドの活性を調節するのに適切な条件下で合わせる工程；
ｉｉ）該試験化合物が、該ポリペプチドの該活性を調節する能力をアッセイする工程；ならびに
ｉｉｉ）該前駆細胞が増殖しているかどうかを決定する工程
を包含し、それによって、造血を調節し得る化合物を同定する、方法。
【請求項６】
造血を調節し得る化合物を同定するための方法であって、以下：
ｉ）以下：
ａ）配列番号１７、配列番号１、配列番号３、配列番号５、配列番号７、配列番号９、配列番号１１、配列番号１３、配列番号１５、配列番号１９、配列番号２１、配列番号２３、配列番号２５、配列番号２７、配列番号２９、配列番号３１、配列番号３３、配列番号３５、配列番号３７、配列番号３９、配列番号４１、配列番号４３、配列番号４５、配列番号４７、配列番号４９、配列番号５１、配列番号５３、配列番号５５、配列番号５７、配列番号５９または配列番号６１のヌクレオチド配列と少なくとも９５％同一なヌクレオチド配列を含む核酸分子；
ｂ）配列番号１７、配列番号１、配列番号３、配列番号５、配列番号７、配列番号９、配列番号１１、配列番号１３、配列番号１５、配列番号１９、配列番号２１、配列番号２３、配列番号２５、配列番号２７、配列番号２９、配列番号３１、配列番号３３、配列番号３５、配列番号３７、配列番号３９、配列番号４１、配列番号４３、配列番号４５、配列番号４７、配列番号４９、配列番号５１、配列番号５３、配列番号５５、配列番号５７、配列番号５９または配列番号６１のヌクレオチド配列を含む核酸分子；
ｃ）配列番号１８、配列番号２、配列番号４、配列番号６、配列番号８、配列番号１０、配列番号１２、配列番号１４、配列番号１６、配列番号２０、配列番号２２、配列番号２４、配列番号２６、配列番号２８、配列番号３０、配列番号３２、配列番号３４、配列番号３６、配列番号３８、配列番号４０、配列番号４２、配列番号４４、配列番号４６、配列番号４８、配列番号５０、配列番号５２、配列番号５４、配列番号５６、配列番号５８または配列番号６０のアミノ酸配列と少なくとも９５％同一なアミノ酸配列を含むポリペプチドをコードする核酸分子であって、ここで、該ポリペプチドはロイコトリエンレセプター活性を有する、核酸分子；および
ｄ）配列番号１８、配列番号２、配列番号４、配列番号６、配列番号８、配列番号１０、配列番号１２、配列番号１４、配列番号１６、配列番号２０、配列番号２２、配列番号２４、配列番号２６、配列番号２８、配列番号３０、配列番号３２、配列番号３４、配列番号３６、配列番号３８、配列番号４０、配列番号４２、配列番号４４、配列番号４６、配列番号４８、配列番号５０、配列番号５２、配列番号５４、配列番号５６、配列番号５８または配列番号６０のアミノ酸配列をコードする核酸分子
からなる群より選択される核酸分子を発現する前駆細胞と試験化合物とを合わせる工程；
ｉｉ）該試験化合物が、該核酸分子の該発現を調節する能力をアッセイする工程；ならびに
ｉｉｉ）該前駆細胞が増殖しているかどうかを決定する工程
を包含し、それによって、造血を調節し得る化合物を同定する、方法。
【請求項７】
前記血液障害が、貧血、血友病またはサラセミアである、請求項１、２または３に記載の方法。
【請求項８】
前記化合物が、低分子、ペプチドおよび抗体からなる群より選択される、請求項１、２、４または５に記載の方法。
【請求項９】
前記化合物が、アンチセンス核酸分子である、請求項３または６に記載の方法。
【請求項１０】
前記ポリペプチドが、異種性のアミノ酸配列をさらに含む、請求項１、２、４または５に記載の方法。
【請求項１１】
前記サンプルが、細胞である、請求項１、２または３に記載の方法。
【請求項１２】
血液障害を有するか、血液障害を発症する危険のある被験体を同定するためのキットであって、該キットは、第１の増幅プライマーおよび第２の増幅プライマーを含み、該第１のプライマーは、配列番号１７、配列番号１、配列番号３、配列番号５、配列番号７、配列番号９、配列番号１１、配列番号１３、配列番号１５、配列番号１９、配列番号２１、配列番号２３、配列番号２５、配列番号２７、配列番号２９、配列番号３１、配列番号３３、配列番号３５、配列番号３７、配列番号３９、配列番号４１、配列番号４３、配列番号４５、配列番号４７、配列番号４９、配列番号５１、配列番号５３、配列番号５５、配列番号５７、配列番号５９または配列番号６１の少なくとも２５の連続するヌクレオチドを含み、そして該第２のプライマーは、配列番号１７、配列番号１、配列番号３、配列番号５、配列番号７、配列番号９、配列番号１１、配列番号１３、配列番号１５、配列番号１９、配列番号２１、配列番号２３、配列番号２５、配列番号２７、配列番号２９、配列番号３１、配列番号３３、配列番号３５、配列番号３７、配列番号３９、配列番号４１、配列番号４３、配列番号４５、配列番号４７、配列番号４９、配列番号５１、配列番号５３、配列番号５５、配列番号５７、配列番号５９または配列番号６１の相補体からの少なくとも２５の連続するヌクレオチドを含む、キット。
【請求項１３】
血液障害を有するか、血液障害を発症する危険のある被験体を同定するためのキットであって、該キットは、以下：
ａ）配列番号１８、配列番号２、配列番号４、配列番号６、配列番号８、配列番号１０、配列番号１２、配列番号１４、配列番号１６、配列番号２０、配列番号２２、配列番号２４、配列番号２６、配列番号２８、配列番号３０、配列番号３２、配列番号３４、配列番号３６、配列番号３８、配列番号４０、配列番号４２、配列番号４４、配列番号４６、配列番号４８、配列番号５０、配列番号５２、配列番号５４、配列番号５６、配列番号５８または配列番号６０のアミノ酸配列と少なくとも９５％同一なアミノ酸配列を含むポリペプチドであって、ここで、該ポリペプチドはロイコトリエンレセプター活性を有する、ポリペプチド；
ｂ）配列番号１７、配列番号１、配列番号３、配列番号５、配列番号７、配列番号９、配列番号１１、配列番号１３、配列番号１５、配列番号１９、配列番号２１、配列番号２３、配列番号２５、配列番号２７、配列番号２９、配列番号３１、配列番号３３、配列番号３５、配列番号３７、配列番号３９、配列番号４１、配列番号４３、配列番号４５、配列番号４７、配列番号４９、配列番号５１、配列番号５３、配列番号５５、配列番号５７、配列番号５９または配列番号６１のヌクレオチド配列を含む核酸と少なくとも９５％同一なヌクレオチド配列を含む核酸分子によりコードされるポリペプチドであって、ここで、該ポリペプチドはロイコトリエンレセプター活性を有する、ポリペプチド；
ｃ）配列番号１８、配列番号２、配列番号４、配列番号６、配列番号８、配列番号１０、配列番号１２、配列番号１４、配列番号１６、配列番号２０、配列番号２２、配列番号２４、配列番号２６、配列番号２８、配列番号３０、配列番号３２、配列番号３４、配列番号３６、配列番号３８、配列番号４０、配列番号４２、配列番号４４、配列番号４６、配列番号４８、配列番号５０、配列番号５２、配列番号５４、配列番号５６、配列番号５８または配列番号６０のアミノ酸配列を含むポリペプチド；および
ｄ）配列番号１７、配列番号１、配列番号３、配列番号５、配列番号７、配列番号９、配列番号１１、配列番号１３、配列番号１５、配列番号１９、配列番号２１、配列番号２３、配列番号２５、配列番号２７、配列番号２９、配列番号３１、配列番号３３、配列番号３５、配列番号３７、配列番号３９、配列番号４１、配列番号４３、配列番号４５、配列番号４７、配列番号４９、配列番号５１、配列番号５３、配列番号５５、配列番号５７、配列番号５９または配列番号６１に示されるヌクレオチド配列によりコードされるポリペプチド
からなる群より選択されるポリペプチド、および該ポリペプチドに選択的に結合し得る抗体を含有する、キット。
【請求項１４】
前記血液障害が、貧血、血友病またはサラセミアである、請求項１２または１３に記載のキット。
【請求項１５】
請求項１、２、３、４、５または６で同定された化合物を含む、血液障害を有する被験体を処置するための薬学的組成物。
【請求項１６】
前記血液障害が、貧血、血友病またはサラセミアである、請求項１５に記載の薬学的組成物。